(57)【要約】  本明細書は、全体のスループット及び効率を最適化するために、セキュリティチェックポイントを通過する人の流れを管理するスマートセキュリティ管理システムを記載する。一の実施の形態において、システムは、複数のセキュリティチェックポイントに接続されると共に、一組の個人用に特定タイプのスクリーニング装置によって生成されるベンチマーク反応データを使用する中央データベースを含む。一の実施の形態において、セキュリティチェックポイントに位置する類似タイプのスクリーニング装置によって収集される反応データは、中央データベースに保存されたベンチマーク反応データと比較されて、個人に対し高速の安全検査を提供する。【選択図】  図４Ａ
2017537399.tif 000002
【特許請求の範囲】
【請求項１】
個人のセキュリティ検査を迅速に処理するインテリジェントセキュリティ管理システムであって、
検査対象となる各個人に相当する１つ以上のデータ記録を有する少なくとも１つのデータベースを有し、データ記録は各個人の特性データを表現し、
少なくとも１つの検査装置を有する１つ以上のセキュリティチェックポイントをさらに有し、
各セキュリティチェックポイントは、前記データベースとデータ通信を行い、検査装置によって収集された個人の検査データを、データベースに保存された前記個人の特性データと比較し、
検査データが特性データに類似する場合、前記個人は、第２レベルのセキュリティ検査から免除されることを特徴とするインテリジェントセキュリティ管理システム。
【請求項２】
各セキュリティチェックポイントは、さらに、検査対象となる個人の識別情報を個人が所有する識別タグから読み取るタグリーダマシンを有し、識別情報は、データベースから個人の特性データを得るために使用されることを特徴とする請求項１に記載のインテリジェントセキュリティ管理システム。
【請求項３】
各セキュリティチェックポイントは、さらに、検査対象となる個人の識別情報を読み取るバイオメトリックリーダマシンを有し、前記識別情報は、データベースから個人の特性データを得るために使用されることを特徴とする請求項１に記載のインテリジェントセキュリティ管理システム。
【請求項４】
データベースは、各セキュリティポイントと無線で間接的に接続されていることを特徴とする請求項１に記載のインテリジェントセキュリティ管理システム。
【請求項５】
各セキュリティチェックポイントは、データベースの複製されたコピーを有することを特徴とする請求項１に記載のインテリジェントセキュリティ管理システム。
【請求項６】
検査装置は、送信及び受信コイルの組の複数を有する金属検出器であることを特徴とする請求項１に記載のインテリジェントセキュリティ管理システム。
【請求項７】
個人の検査データは、前記個人が金属検出器を使用して検査されるときに、金属検出器内に収容された受信コイルに誘起される電磁場信号を有することを特徴とする請求項６に記載のインテリジェントセキュリティ管理システム。
【請求項８】
検査装置は、超広帯域、ミリ波、又はテラヘルツ撮像のうちの１つを使用するセキュリティスキャナであることを特徴とする請求項１に記載のインテリジェントセキュリティ管理システム。
【請求項９】
検査装置は、後方散乱Ｘ線スキャナであることを特徴とする請求項１に記載のインテリジェントセキュリティ管理システム。
【請求項１０】
個人を検査するための複数のセキュリティチェックポイントを有し、
チェックポイントは、個人のベンチマークスクリーニングシグネチャを有するデータベースとデータ通信を行い、
個人の検査が、個人のスクリーニングシグネチャの所定レンジ内にあるスクリーニングデータを生成する場合は、前記個人に対し、セキュリティチェックポイントでの迅速セキュリティ検査を行うことを特徴とするインテリジェントセキュリティ管理システム。
【請求項１１】
個人のスクリーニングシグネチャは、前記個人がスクリーニングシステムに晒されるとき、前記スクリーニングシステムによって生成される代表的な反応信号を有することを特徴とする請求項１０記載のインテリジェントセキュリティ管理システム。
【請求項１２】
個人をセキュリティチェックポイントで検査する方法であって、
個人を事前にスクリーニングして前記個人の特性データを得る工程と、
前記特性データを保存する工程と、
前記個人を前記セキュリティチェックポイントで検査して前記個人の検査データを得る工程と、
前記検査データを保存された特性データと比較する工程と、
前記検査データが前記特性データの所定レンジ内にある場合、少なくとも第２レベルのセキュリティ検査から前記個人を除外する工程と
を有することを特徴とする方法。
【請求項１３】
前記個人の特性データが保存されているか否かを判別するために、前記個人の身元を得る工程をさらに有することを特徴とする請求項１２に記載の方法。
【請求項１４】
前記個人の身元は、前記セキュリティチェックポイントに設けられるバイオメトリックリーダを使用することによって得られることを特徴とする請求項１３に記載の方法。
【請求項１５】
前記個人の身元は、前記セキュリティチェックポイントに設けられているタグリーダによって、前記個人の固有識別コードを有するタグを読むことによって得られることを特徴とする請求項１３に記載の方法。
【請求項１６】
前記個人を事前にスクリーニングして前記個人の特性データを得る工程は、
スクリーニングシステムを使用して前記個人を検査する工程と、前記個人がスクリーニングシステムに晒されるときに、前記スクリーニングシステムによって生成される代表的な反応信号を捉える工程とを有することを特徴とする請求項１２に記載の方法。
【請求項１７】
前記個人の前記特性データは、複数の個人の特性データを有するデータベースに保存され、前記データベースは前記セキュリティチェックポイントと通信することを特徴とする請求項１２に記載の方法。
【請求項１８】
前記データベースは、前記セキュリティチェックポイントから離れたサーバに保存されることを特徴とする請求項１７に記載の方法。
【請求項１９】
前記データベースの複製されたコピーは、前記セキュリティチェックポイントに保存されることを特徴とする請求項１８に記載の方法。
【請求項２０】
前記個人は、送信及び受信コイルの複数の組を有する金属検出器によって前記セキュリティチェックポイントにて検査されることを特徴とする請求項１２に記載の方法。
【請求項２１】
前記個人の前記検査データは、前記個人が前記金属検出器によって検査されるときに、前記金属検出器の前記受信コイルに誘起される電磁場信号を有することを特徴とする請求項２０に記載の方法。
【請求項２２】
前記検査装置は、超広帯域、ミリ波、又はテラヘルツ撮像の１つを使用するセキュリティスキャナであることを特徴とする請求項１２に記載のインテリジェントセキュリティ管理システム。
【請求項２３】
前記検査装置は、後方散乱Ｘ線スキャナであることを特徴とする請求項１２に記載のインテリジェントセキュリティ管理システム。
【発明の詳細な説明】
【関連出願の相互参照】
【０００１】
本願は、「インテリジェントセキュリティ管理システム」と題され、且つ２０１４年１１月２５日に出願された米国特許仮出願第６２／０８４，１９３号に基づく優先権を主張すると共に参照する。上記出願は、全体が参照用として本明細書に取り込まれる。
【技術分野】
【０００２】
本発明は、全体のスループット、効率、スタッフの必要性を最適化するために、セキュリティチェックポイントを通過する人の流れを管理するインテリジェントシステム及びその方法に関する。
【背景技術】
【０００３】
場所は、公共の安全及び福祉を保証するためにしばし確実でなければならない。たとえば、空港や娯楽施設などの人が集中する場所や、裁判所や政府機関などの行政にとって特に重要な場所、刑務所などの暴力の脅威が高い場所は、危険な又は違法な活動を阻止する安全対策が必要である。主な安全対策の目的は、武器、危険物、違法物品、又は禁制品の当該場所への無許可の持ち込みを防止し、安全を確保することである。これは、しばし、決められたチェックポイントを経由してその場所へと入り、又は、そのチェックポイントにて、人や物品に、徹底した検査を要求することによって達成される。
【０００４】
現在、様々な装置が使用されて、係る調査を行っている。使用の場所にかかわらず、これらの検出システムは、安全な場所に入る個人の身体や荷物の禁制品の存在を検出するために使用されている。禁制品は、武器に限定されず、爆発物（花火、銃弾、マッチ、火薬、信号弾）、武器（銃、剣、唐辛子スプレイ、格闘技の道具、ナイフ）、圧縮コンテナ（ヘアースプレイ、防虫剤、酸素・プロパンタンク）、毒物（殺虫剤、農薬、ヒ素、シアン化物）、家庭用品（可燃性液体、溶剤、漂白剤）、腐食剤（酸、苛性アルカリ溶液、水銀）を含む。
【０００５】
金属検出器などの人スクリーニングシステムは、決められたチェックポイントに配置され、衣類の下に隠された、又は衣類内部の武器や爆発物、そのほかの危険物などの危険物質を検出する。係る従来の安全システムは、スクリーニングの間に独立して記録されたデータに依存し、隠された危険物質の可能性を評価する。広範囲の危険物が存在し、自動アルゴリズムベースの検出システムによって自動的に且つ決定的に検出することは難しいので、人の身体検査に対する必要性を必然的に伴う。完全身体検査又はボディチェック検査は、時間がかかり、資源集約的であり、検査スタッフ及び検査対象の両方に気まずいものである。フルボディチェック検査を行うときに費やされる時間は、検査のスループットを下げ、処理を遅くし、セキュリティスクリーニングに並んでいる他の対象者に対しても不都合である。
【０００６】
金属検出システムなどの従来のセキュリティシステムは、データ駆動型の人工知能を用いていない。これらの装置は、インテリジェントではなく、スクリーニングプロセスの間のサーチ結果を個人のスクリーニング履歴との関連性をみない。スクリーニングされた乗客は、運搬している物や身につけている衣類に関係なく同じ方法で評価されている。典型的な金属検出システムは、衣類や所持品の中にスクリーニングされた人と共に存在する導電性材料の存在を検出するように動作する。通常、人は、金属装飾品や鍵、筆記用具などの導電性材料を身につけたり所持している。典型的な金属検出器は、危険物と、筆記用具などの金属ベースの非危険物とを決定的に識別することができず、スクリーニングプロセスの間のアラームの誤動作につながる。これは、検査スタッフに、スクリーニングされる人のフルボディチェック検査の実行を要求し、不便であると共にスループットの低下につながる。
【０００７】
さらに、現在のセキュリティシステムにて使用されるスクリーニングチェックポイントは、主に、シングルインプット及びシングルアウトプットラインアプローチを使用して動作する。金属検出器は、危険物と、導電材料から作られた非危険物との区別をすることができず、そのためにも受けられた複雑なセキュリティプロトコルは、個人に、財布や携帯電話、鍵やそのほかの物品などの多数の所持品を、Ｘ線スキャナによるスキャンを要求する。通常、個人が金属検出器の中を通過するとき、これらの非危険物質のうち間違ってアラームを発する物があるので、上記行為が必要とされる。これは、個人が、所持品を身体から話して別のスクリーニングに置くために、相当の時間を要することになる。
【０００８】
この取り外しプロセスは、各人がマシンにアクセスするまで列に並んで待機しながら順次発生する傾向がある。取り外しプロセスに関係した遅れに寄与して、現在のシステムは、単一のコンベヤベルトを使用し、その上に、各人の乗客の物品の各が順に配置されてＸ線システムの中を通過する。物品はスキャンされると、スキャンニングマシンの反対側に集められ、乗客や所有者に引き取られるまでベルトに「トラフィック」を形成する。持ち主不明の荷物がＸ線マシンへと戻っていくのを防ぐために、ベルトは、オペレータによって頻繁に停止されなければならない。
【０００９】
米国特許出願第１４／９４４，０６７号，第１４／８５９，６４７号，第１４／５３１，４８５号，第１４／２９３，２３３号，第１４／２８０，７７４号，第１４／１４９，４７３号，第１４／１０４，５０８号，第１３／９４２，５６３号，第１３／９０３，５９８号，第１３／３６５，１１４号，第１３／１７５，７８５号，第１２／８８７，５１０号，第１２／６４３，０２１号及び米国特許第９，１８２，５１６号，第８，９９５，６１９号，第８，７７４，３６２号，第８，７６６，７６４号，第８，６５４，９２２号，第８，６３８，９０４号，第８，５７６，９８２号，第８，１９９，９９６号，第８，１３５，１１２号，第７，８２６，５８９号，第７，７９６，７３３号，第７，６６０，３８８号，第７，４１８，０７７号は、全て、人のスクリーニングシステムを開示し、全てが参照として本願に組み込まれている。
【００１０】
個人及び機内持ち込みの荷物をスキャンする方法、装置及びシステムを改良する従来の努力にかかわらず、上記問題は未解決のままである。従来の方法は、取り外しプロセス中の遅れを合理的に緩和する方法及びシステムを開示しない。さらに、従来の技術は、全体の効率及びシステムのスループットを改善しない。
【００１１】
さらに、スクリーニングプロシージャを通過する人の流れを効率的に管理する集積システム及びプロセスに対する需要がある。個人の待機時間を減らすと共にスループット及び効率を改善する改良されたセキュリティチェックステーションに対する需要がある。係るシステムは、安全要員の過剰配属を減らし、金属検出器のオートメーションを容易とし、マシンオペレータのアイドル時間を切り詰め、マシンのスループットを相当増やす。
【００１２】
個人用のベンチマークスクリーニングパターン、又はスクリーニング履歴に基づいて、危険物質の可能性を評価できるインテリジェントスクリーニングシステムに対する需要がある。複数の情報が、特別な出力を異なるユーザに向けて生成するために中央で処理されるインテリジェントスクリーニングシステムに対する需要がある。
【発明の概要】
【課題を解決するための手段】
【００１３】
実施の形態によっては、本明細書は、個人のセキュリティ検査を迅速に処理するインテリジェントセキュリティ管理システムを開示する。システムは、検査対象となる各個人に相当する１つ以上のデータ記録を有する少なくとも１つのデータベースを有し、データ記録は各個人の特性データを表現し、少なくとも１つの検査装置を有する１つ以上のセキュリティチェックポイントをさらに有し、各セキュリティチェックポイントは、前記データベースとデータ通信を行い、検査装置によって収集された個人の検査データを、データベースに保存された前記個人の特性データと比較し、検査データが特性データに類似する場合、前記個人は、第２レベルのセキュリティ検査から免除される。
【００１４】
オプションとして、各セキュリティチェックポイントは、さらに、検査対象となる個人の識別情報を個人が所有する識別タグから読み取るタグリーダマシンを有し、識別情報は、データベースから個人の特性データを得るために使用される。
【００１５】
オプションとして、各セキュリティチェックポイントは、検査対象となる個人の識別情報を読み取るバイオメトリックリーダマシンを有し、前記識別情報は、データベースから個人の特性データを得るために使用される。
【００１６】
オプションとして、データベースは、各セキュリティポイントと無線で間接的に接続され、他の実施の形態では、各セキュリティチェックポイントは、データベースの複製されたコピーを有する。
【００１７】
オプションとして、検査装置は、送信及び受信コイルの組の複数を有する金属検出器であり、個人の検査データは、前記個人が金属検出器を使用して検査されるときに、金属検出器内に収容された受信コイルに誘起される電磁場信号を有する。
【００１８】
オプションとして、検査装置は、超広帯域、ミリ波、又はテラヘルツ撮像のうちの１つを使用するセキュリティスキャナである。
【００１９】
オプションとして、検査装置は、後方散乱Ｘ線スキャナである。
【００２０】
実施の形態によっては、本明細書は、個人を検査するための複数のセキュリティチェックポイントを有し、チェックポイントは、個人のベンチマークスクリーニングシグネチャを有するデータベースとデータ通信を行い、個人の検査が、個人のスクリーニングシグネチャの所定レンジ内にあるスクリーニングデータを生成する場合は、前記個人に対し、セキュリティチェックポイントでの迅速セキュリティ検査を行うインテリジェントセキュリティ管理システムを開示する。一の実施の形態において、個人のスクリーニングシグネチャは、前記個人が前記スクリーニングシステムに晒されるとき、スクリーニングシステムによって生成される代表的な反応信号を有する。
【００２１】
実施の形態によっては、本明細書は、個人をセキュリティチェックポイントで検査する方法であって、個人を事前にスクリーニングして前記個人の特性データを得る工程と、前記特性データを保存する工程と、前記個人を前記セキュリティチェックポイントで検査して前記個人の検査データを得る工程と、前記検査データを保存された特性データと比較する工程と、前記検査データが前記特性データの所定レンジ内にある場合、少なくとも第２レベルのセキュリティ検査から前記個人を除外する工程とを有する方法を開示する。
【００２２】
オプションとして、当該方法は、前記個人の特性データが保存されているか否かを判別するために、前記個人の身元を得る工程をさらに有する。一の実施の形態において、前記個人の身元は、前記セキュリティチェックポイントに設けられるバイオメトリックリーダを使用することによって得られる。他の実施の形態において、前記個人の身元は、前記セキュリティチェックポイントに設けられているタグリーダによって、前記個人の固有識別コードを有するタグを読むことによって得られる。
【００２３】
オプションとして、前記個人を事前にスクリーニングして前記個人の特性データを得る工程は、前記スクリーニングシステムを使用して前記個人を検査する工程と、前記個人がスクリーニングシステムに晒されるときに、前記スクリーニングシステムによって生成される代表的な反応信号を捉える工程とを有する。
【００２４】
オプションとして、前記個人の前記特性データは、複数の個人の特性データを有するデータベースに保存され、前記データベースは前記セキュリティチェックポイントと通信する。一の実施の形態において、前記データベースは、前記セキュリティチェックポイントから離れたサーバに保存される。他の実施の形態において、前記データベースの複製されたコピーは、前記セキュリティチェックポイントに保存される。
【００２５】
オプションとして、前記個人は、送信及び受信コイルの複数の組を有する金属検出器によって前記セキュリティチェックポイントにて検査され、前記個人の前記検査データは、前記個人が前記金属検出器によって検査されるときに、前記金属検出器の前記受信コイルに誘起される電磁場信号を有する。
【００２６】
オプションとして、前記検査装置は、超広帯域、ミリ波、又はテラヘルツ撮像の１つを使用するセキュリティスキャナである。
【００２７】
オプションとして、前記検査装置は、後方散乱Ｘ線スキャナである。
【００２８】
本明細書の上記及び他の実施の形態は、図面及び以下の記載を参照してより詳細に記載する。
【図面の簡単な説明】
【００２９】
【図１】本明細書の実施の形態によるインテリジェントセキュリティ管理システムを示すブロック図である。
【図２】本明細書の実施の形態において記載されるインテリジェントセキュリティ管理システムにて登録される人のプロフィールを含むデータベースを示す図である。
【図３】本明細書の実施の形態にて記載されるインテリジェントセキュリティ管理システムに新規の人又は乗客を登録するステップのシーケンスの一例を示すフローチャートである。
【図４Ａ】本明細書の実施の形態による参加型又は使用可能セキュリティチェックポイントで実行されるステップのシーケンスの一例を示すフローチャートである。
【図４Ｂ】本明細書の実施の形態により、スキャンデータを個人の所定特性スクリーニングシグネチャと比較する工程に含まれるステップを示すフローチャートである。
【図４Ｃ】本明細書の他の実施の形態により、スキャンデータを、個人の所定特性スクリーニングシグネチャと比較する工程に含まれるステップを示すフローチャートである。
【図４Ｄ】本明細書のさらに他の実施の形態により、スキャンデータを、個人の所定特性スクリーニングシグネチャと比較するときの工程に含まれるステップを示すフローチャートである。
【図５】本明細書の実施の形態により、金属検出器を含むセキュリティチェックポイントを通過する乗客の動きを示す図である。
【発明を実施するための形態】
【００３０】
本明細書の上記特徴及び効果は、添付図面と共に以下の詳細な説明を参照することによってより良く理解される。
【００３１】
本明細書は、国内の様々なセキュリティチェックポイントで通常配備される従来のセキュリティスクリーニングシステムより、高スループット及び高効率を有するインテリジェントセキュリティ管理システムに関する。
【００３２】
一実施の形態において、本明細書は、人々のデータベースを有するインテリジェントスクリーニングシステムを記載する。そして、このスクリーニングシステムに申し込む個人についての情報がこのデータベースに事前に保存され、次に、このデータベースが使用されて、セキュリティチェックポイントでのスクリーニングプロセスの間、これらの個人に、より高速の安全検査（clearance）を行う。
【００３３】
一実施の形態において、本明細書に記載されるインテリジェントスクリーニングシステムは、個人の過去のスクリーニングの履歴を保存し且つ使用して、スキャンニングの間に危険物の有無を評価する。一実施の形態において、本明細書に記載されるシステムは、各個人用に、ベンチマークスクリーニング結果を表す情報を収集して保存し、この情報を、身体検査などの第２レベルのスクリーニングを必要とする適宜の偏差を検出するベースとして使用する。各人のスクリーニング結果が、データベースに予め保存されたベンチマークスクリーニング結果の範囲内にあるとき、第２レベルのスクリーニングは、係る各人用には回避されて、高速の安全検査を提供する。
【００３４】
一実施の形態において、本明細書は、対象となる乗客に補助身体スクリーニングプログラムへの申し込みが要求されるような、空港や鉄道の駅などの、乗り継ぎ地点に対するスクリーニングシステムを記載する。補助人事スクリーニングプログラムは、乗客に、事前に登録し且つ乗客の詳細をデータベースに組み込むように要求し、係るデータベースにリンクされる全てのセキュリティチェックポイントで、将来において、より高速の安全検査を行う。一実施の形態において、補助乗客スクリーニングプログラムに加入した乗客は、乗客らのベンチマークスクリーニング結果パターンを収集するために選別される。このベンチマークスクリーニング結果パターンは、次に、様々なセキュリティチェックポイントにリンクするデータベースに保存される。一実施の形態において、乗客に、タグ又はカードを割り当て、これらのタグ又はカードは、データベースに保存された乗客等のプロフィールにリンクされる。乗客は、このタグ又はカードを使用して、補助乗客スクリーニングプログラムにリンクされた様々なセキュリティチェックポイントでより高速の安全検査を受けられる。他の実施の形態において、乗客には、タグもカードも割り当てられない。しかし、乗客のバイオメトリック情報は、その乗客等のプロフィールと共に保存され、補助乗客プログラムにリンクされた様々なセキュリティチェックポイントには、乗客のプロフィールにアクセスしてより高速の安全検査を行うためにバイオメトリックリーダが装備されている。
【００３５】
本明細書の一の実施の形態において、補助人事スクリーニングプログラムは、空港、鉄道の駅、政府機関、スポーツ及びコンサート会場、及びホテル等の様々なセキュリティチェックポイントに配布されている。これらのセキュリティチェックポイントは、周知の人の共通のデータベースにリンクされ、スクリーニングプロセスの間、より高速の安全検査を行う。
【００３６】
様々な実施の形態において、本明細書のインテリジェントスクリーニングシステムは、対人スクリーニングシステムによって使用可能になる。実施の形態によっては、対人スクリーニングシステムは、電磁場（ＥＭＦ）信号を検出するように構成された金属検出器や、超広帯域、ミリ波、又はテラヘルツ技術を使用するように構成されたセキュリティスクリーニングシステム、Ｘ線ベースのスクリーニングシステムを有している。金属検出器の実施の形態において、金属検出器は、所定の検査領域を通過する導電性材料の存在を検出する電子機器を有する。金属検出器の共通のタイプは、刑務所、裁判所及び空港でのセキュリティスクリーニングのために使用される据え付けタイプの「ウオークスルー」金属検出器であり、人体に隠された金属製の武器を検出する。金属検出器は、一組の送信コイルから電磁場を伝搬することによって動作する。電磁場内の適宜の物体（目標）は、励磁され、物体自身の電磁場を再伝搬する。検査領域の反対側の受信コイルは、再伝搬された場を受信し、システムは、目標の反応を生成することによって、ユーザに警告を発する。
【００３７】
本明細書の一の実施の形態において、個人のベンチマークスクリーニングパターンは、金属検出器を使用して記録される。この場合、金属検出器の出力は、個人に固有の信号である。この信号は、金属検出器内に配置された複数の送信・受信コイルの組み合わせの出力から導かれる。ベンチマークスクリーニングパターンは、図３を参照して記載されるように、スキャンニングシステムの金属検出器の中を個人が複数回通り抜ける間に作成される。ベンチマークは、個人が最初にスクリーニングシステムに申し込むときに、複数のスキャンを使用して最初に確定される。実施の形態によっては、ベンチマークは、個人が次の旅行中にシステムを通過すると、進行中のスキャンに基づいて継続的に変更される。多くの場合、金属検出器は、順次励磁される一組の送信コイルを有する。励磁周波数は、大抵、２ｋＨｚから５０ｋＨｚの範囲内である。金属検出器は、複数の受信コイルも含む（送信コイル及び受信コイルの個数は通常同じである）。受信コイルは、送信コイルと対向して配置され、乗客がそれらの間を通過できるように、十分な距離を介して送信コイルから離れて配置される（大抵は、８００ｍｍから１２００ｍｍ）。各受信コイルは、送信コイルからの信号に反応し、誘導された電磁信号は、コイル間の形態、コイルの間を通過する個人のサイズや体格に依存する。個人の特性ＥＭＦ（電磁場）は、送信コイルの各々に反応して、受信コイルの各々からの信号の総和信号である。一の実施の形態において、金属検出器の各コイルから約２０の測定値が使用されて、個人の特性ＥＭＦを評価する。他の実施の形態において、受信コイルにおいて誘導された各個人信号の振幅及び位相の両方は、取り込まれて、総和特性ＥＭＦ信号を計算するために使用される。総和特性ＥＭＦ信号は、受信コイルの各々からの時間・振幅ディジタル化信号として定義され、金属検出器のエントランスの起動と出口光電子セルとの間の期間の間に集められる。各コイルからの時間・振幅データは、波形として保存される。適宜の個数のコイル及び特定のコイル形態を有する金属検知器を通過する歩行は、本明細書の実施の形態で使用できる。実施の形態によっては、より多数のコイルを有する金属検出器が、より多くの情報を捉えてより特別な信号を生成することができる。
【００３８】
一の実施の形態において、この信号は、「個人ＥＭＦ」又は「乗客ＥＭＦ」として称され、個人が、上述の金属検出器に晒されるとき、個人に固有の電磁場信号を表す。様々な実施の形態において、ＥＭＦ信号は、コイルの間の場にある物体の比透磁率に関係する任意の単位で定義される。人の透磁率は低いが、対象物体の相互インダクタンスは、多くの場合１００−１０００の範囲内である。
【００３９】
本明細書の実施の形態において、各人の「個人ＥＭＦ」は、様々なセキュリティチェックポイントでアクセス可能なデータベースにその人のプロフィールの元に保存される。個人がこれらのセキュリティチェックポイントを通過するとき、これらのセキュリティチェックポイントに配置された金属検出器によって集められた新しいＥＭＦ（電磁場）データが、データベースに保存されているその個人の特性「個人ＥＭＦ」データによって比較される。２つの信号の間の差異が、統計的に有意な場合、その個人は、身体検査等の第２レベルのスクリーニングの対象となる。様々な実施の形態において、最小二乗最小化法などの、基本統計マッチングが使用されて、新しいＥＭＦからの信号や波形が、保存されているＥＭＦとどの程度近く一致するかを判別し、故に、統計的有意性を確立する。一の実施の形態において、最小二乗最小化法が使用されて、統計的有意性を確立する。様々な実施の形態において、比較が、各受信コイルに対する閾値範囲内（例えば、誤差が所定数よりも小さい）であれば、新しい信号と保存されたＥＭＦ信号とは、一致していると考えられる。１つ又は複数のセットのＥＭＦ信号データ用の閾値差よりも大きければ、アラームが発せられ、個人は、第２レベルのスクリーニングの対象になる。
【００４０】
当業者は、個人用の特性ＥＭＦ信号は、全ての条件下で同じではないことを理解する。個人の衣類の違い、金属検出ユニットのタイプ、外部ノイズ信号などの複数の要因は、ＥＭＦ信号に影響する。一の実施の形態において、特性「個人ＥＭＦ」を、適宜のセキュリティポイントで収集した新しいＥＭＦデータと比較するシステムは、データベースに保存された特性「個人ＥＭＦ」データ及び新しいＥＭＦデータにおける違いをもたらす係る要因を考慮するには十分に聡明である。これらの要因には、曜日の違い（平日又は週末）と、季節変動とがあり、個人の衣類パターンの違いのために、異なるＥＭＦ信号になりえる。他の実施の形態において、システムは、聡明であり、各個人の時刻、曜日、又は季節に依存して、各個人の複数の特性「個人ＥＭＦ」信号を保存するように構成されている。様々な実施の形態において、個人がシステムを通過する度に、システムは、ＥＭＦ信号を保存し、新たに保存されたＥＭＦ信号は、個人のデータベースの一部を形成する。次に、システムは、一日の同じような時間帯にとられたＥＭＦ信号データを平均化し、より平滑なＥＭＦ信号を作成する。例えば、個人は、弁当箱を持参して働く。一日のスタートでは、弁当箱は一杯であるが、午後には、弁当箱は空になる。他の例では、週末の夕方に外出する個人は、１週間の間に働きに行くときとは異なった服装をする。例えば、１週間の間に書類鞄を持って働きに行く人は、週末に映画を見に行くときの同一人と比較すると異なって見える。ＥＭＦ信号は異なることが予測されるので、システムは、個人の行動パターンを学習し、例外を探すように構成されている。学習は、システムが、個人の各パスの間の差異を記録し、また、時刻、曜日、季節の関数として平均に基づく「個人ＥＭＦ」を作成する。適宜のセキュリティチェックポイントでのスクリーニングプロセスの間、上述などの様々な要因に依存して、これらの「個人ＥＭＦ」信号のうち最適なものが、比較目的用のベンチマーク信号として使用される。
【００４１】
一の実施の形態において、周知の個人のプロフィール及び特性「個人ＥＭＦ」を有するデータベースは、リモートサーバの場所に保存され、全セキュリティチェックポイントは、セキュリティチェックポイントを通過する周知の個人のプロフィールにアクセスするために、リアルタイムでリモートサーバの場所にアクセスするように設けられている。別の実施の形態において、高速処理を支援するために、特に、インターネットのアクセスがない、又はデータ速度の遅い領域において、データベースのローカル画像も、セキュリティチェックポイントシステムに保存され、故に、ローカルデータベースは、リモートサーバの場所に位置するマスターデータベースに保存されている最新のデータと定期的に同期されている。
【００４２】
別の実施の形態において、対人スクリーニングシステムは、超広帯域、ミリ波、又はテラヘルツ技術を用いるセキュリティスキャナを有する。超広帯域、ミリ波、又はテラヘルツ技術を使用する適宜のセキュリティスキャナが使用されることが理解されるが、ここでは、ミリ波スキャナの使用を記載する。様々な実施の形態において、セキュリティスキャナは、電磁放射を使用して、個人の全体の身体をアクティブに又はパッシブにスキャンして、当該身体の３次元画像を作成し、個人の衣類の下に隠されている物体を検出する。
【００４３】
例えば、ミリ波スキャナは、超高周波数（ＥＨＦ）無線帯域（１から１０ミリメータの範囲の波長）、例えば、２４−３０ＧＨｚの範囲、を含むエネルギを使用する。衣類及び他の材料は、これらの帯域に対して半透明であり、前記衣類の下の物体の検出を可能にする。アクティブミリ波スキャナは、個人のところで電磁放射を伝搬し、次に、反射された放射を検出して、個人を表す画像を生成する。パッシブミリ波スキャナは、周囲の放射及び個人の身体から発せられた放射を検出し、個人を表す画像を生成する。
【００４４】
本明細書の実施の形態において、個人のベンチマークスクリーニングパターンは、超広帯域、ミリ波スキャナ、又はテラヘルツセキュリティスキャナを使用して記録され、セキュリティスキャナの出力は、個人に固有な画像である。ベンチマークスクリーニングパターンは、図３を参照して記載するように、スキャンニングシステムのセキュリティスキャナの中を個人が複数歩行する間に作成される。ベンチマークは、個人が最初にスクリーニングシステムにサインアップしたときに、複数のスキャンを使用して設けられる。実施の形態によっては、個人が次の旅行中にシステムを通過すると、継続するスキャンに基づいて連続的に変更される。一の実施の形態において、この画像は、「個人画像」又は「乗客画像」と称され、その個人が上述のセキュリティスキャナに晒されるときに、個人に固有の生成された画像を表す。
【００４５】
本明細書の実施の形態において、各人の「個人画像」は、様々なセキュリティチェックポイントにてアクセス可能なデータベースにその人のプロフィールの下に保存される。個人がこれらのセキュリティポイントを通過するときに、これらのセキュリティチェックポイントに配置されたセキュリティスキャナによって生成された新しい画像データは、データベースに保存されたその個人の特性「個人画像」データによって比較される。２つの画像の間の違いが統計的に有意なときに、その個人は、身体検査などの第２レベルのスクリーニングの対象になる。様々な実施の形態において、ベーシック統計的マッチングが使用されて、新しい画像からの波形や信号が、どれだけ近く、保存された画像に一致しているかが判別され、ゆえに、統計的有意性が確立される。一の実施の形態において、最小二乗最小化法が使用されて、統計的有意性を確立する。様々な実施の形態において、比較が閾値レンジ内にあれば、新しい画像と保存されたセキュリティスキャナ画像とは一致していると考えられる。１つ又は複数セットの画像信号データに対する閾値差異よりも大きければ、アラームが発せられて、その個人は、第２レベルのスクリーニングの対象になる。
【００４６】
当業者は、個人向けの特性セキュリティスキャナが生成する画像が、全ての条件の下に同一でないことは理解している。個人の衣類の違い、セキュリティスキャナのタイプ、及び外部ノイズ信号などの複数の要因が、個人画像に影響する。一の実施の形態において、特性「個人画像」を任意のセキュリティチェックポイントで生成された新しい画像データと比較するシステムは、十分に聡明であるため、データベースに保存された特性「個人画像」データと新しい画像データとの違いをもたらす係る要因を考慮する。これらの要因には、個人の衣類パターンの違いを理由に異なる画像になる、曜日（平日又は週末）の違い、又は季節変化がある。他の実施の形態において、システムは聡明であり、各人の時刻、曜日、又は季節に依存して、各人の複数の特性「個人画像」を保存するように構成されている。適宜のセキュリティチェックポイントでのスクリーニングプロセスの間、上述した様々な要因に依存して、これらの「個人画像」のうち最適なものが、比較目的のためのベンチマーク信号として使用される。
【００４７】
一の実施の形態において、周知の個人の特性「個人画像」及びプロフィールを有するデータベースは、リモートサーバの場所に保存され、全てのセキュリティチェックポイントは、セキュリティチェックポイントを通過する周知の個人のプロフィールにアクセスするため、リアルタイムでリモートサーバの場所にアクセスするように設けられている。別の実施の形態において、高速処理を支援するために、特に、インターネットアクセスのない、又はデータ速度が遅い場所では、データベースのローカル画像も、セキュリティチェックポイントシステムにおいて保存され、故に、ローカルのデータベースは、リモートサーバの場所に配置されたマスターデータベースに保存される最新のデータと定期的に同期される。
【００４８】
他の実施の形態において、対人スクリーニングシステムは、Ｘ線を使用して個人をスキャンする。例えば、実施の形態によっては、対人スクリーニングシステムは、後方散乱Ｘ線スキャナを有する。後方散乱Ｘ線スキャナは、Ｘ線のコンプトン散乱効果を使用し、個人の身体の２次元画像を生成して、当該身体に隠された物体を検出する。Ｘ線は、大抵、個人の身体の両側に向けて伝搬され、反射された放射が検出されて、そこに配置された物体及び身体の画像を生成する。スキャナによって生成された画像のパターンは、スキャンされた物体の材料特性に依存する。
【００４９】
本明細書の実施の形態において、個人のベンチマークスクリーニングパターンは、Ｘ線スキャナを使用して記録される。Ｘ線スキャナの出力は、個人に固有なＸ線画像である。ベンチマークスクリーニングパターンは、図３を参照して記載するように、スキャンニングシステムのＸ線スキャナの中を個人が複数回歩行する間に作成される。個人が最初にスクリーニングシステムに申し込むときに、ベンチマークは、複数のスキャンを使用して最初に確立され、実施の形態によっては、個人が次の旅行の間にシステムを通過すると、継続するスキャンに基づいて連続的に変更される。一の実施の形態において、この画像は、「個人Ｘ線画像」又は「乗客Ｘ線画像」と称され、個人が上述のＸ線スキャナに晒されるときに、個人に固有の生成画像を表す。
【００５０】
本明細書の一の実施の形態において、各人の「個人Ｘ線画像」は、様々なセキュリティチェックポイントにてアクセス可能なデータベースにおいてその人のプロフィールの下に保存される。個人がセキュリティチェックポイントを通過するとき、これらのセキュリティチェックポイントに配置されたＸ線スキャナによって生成された新しいＸ線画像データは、データベースに保存されたその個人の特性「個人Ｘ線画像」データによって比較される。２つの信号の差異が統計的に有意な場合、個人は、身体検査等の第２レベルのスクリーニングの対象となる。様々な実施の形態において、基本統計マッチングが使用されて、新しい画像からの波形又は信号がどれだけ程度で保存された画像と一致するかが判別され、統計的有意性を確立する。一の実施の形態において、最小二乗最小化法が使用されて統計的有意性を確立する。様々な実施の形態において、比較が閾値レンジ内にあれば、新しい画像と保存画像とは一致していると考えられる。１組又は複数組の画像信号データに対する閾値差よりも大きければ、アラームが発せられ、その個人は、第２レベルのスクリーニングの対象になる。
【００５１】
当業者は、個人用の特性Ｘ線画像は、全ての状態において同一ではないことを理解する。個人の衣類の差異、Ｘ線スキャナのタイプ、外部ノイズ信号などの複数の要因は、Ｘ線画像に影響する。一の実施の形態において、特性「個人Ｘ線画像」を、適宜のセキュリティチェックポイントで生成された新しいＸ線画像データと比較するシステムは、十分に聡明であるため、新しいＸ線画像データと、データベースに保存された特性「個人Ｘ線画像」データとの差異をもたらす係る要因を考慮する。これらの要因には、個人の衣類のパターンの差異を起因とする異なるＸ線画像につながる曜日（平日又は週末）の違い及び季節変動が含まれる。他の実施の形態において、システムは、聡明であり、各個人に対する時刻、曜日、又は季節に依存する各個人に対する複数の特性「個人Ｘ線画像」を保存するようになっている。適宜のセキュリティチェックポイントでのスクリーニングプロセスの間、上述のような様々な要因に依存して、これらの「個人Ｘ線画像」のうち最適なものが、比較目的のベンチマーク信号として使用される。
【００５２】
実施の形態によっては、本明細書のインテリジェントセキュリティ管理システムは、データが異常か否か、そのデータのフォームがどれであるか（ＥＭＦ信号、個人画像、Ｘ線画像）を判断することができる。故に、システムは、データの広範囲の表現によって（例えば日及び時間）パターンを特定し、このデータの中の歪みを特定する。実施の形態によっては、インテリジェントセキュリティ管理システムは、リスクベースのスクリーニングを可能とする。このスクリーニングにおいて、ベースラインは、ダイナミックであると共にセキュリティの条件に基づいて設定される。故に、閾値は、感度及び特異性に基づいて調整され、これは、異常のダイナミックな定義になる。
【００５３】
実施の形態によっては、閾値比較は、最小二乗最小化法などの技法及び様々なアルゴリズムに基づくが、これに限定されない。また、様々なアルゴリズムには、テンプレートマッチング、訓練ニューラルネットワークや深層学習が含まれるが、これらに限定されない。
【００５４】
例えば、金属検出器が検査装置として用いられる一の実施の形態において、システムは、ＥＭＦの大まかな形状と（日時などの）パターンとを探す（複数のＥＭＦ信号は、頭からつま先まで収集されたコイル信号に対して生成されることに留意する）。コイル信号は、人のシグネチャに基づいており、これは、人の少なくとも身長及び体重による影響を受ける（コイルローディング）。システムは、最小二乗最小化などの方法を使用し、誤差を閾値と比較する。この場合、異なる閾値が、各コイル対に対して定義される。例えば、脚が人の歩行により動いている場合、より広範囲な変化が、人の胴部のものよりもＥＭＦ信号において見られる。この場合、動きはより小さく、故に、スキャンする可変スキャンは小さい。
【００５５】
また、例えば、テンプレートマッチングや、訓練ニューラルネットワーク、ディープラーニングなどの様々な技法に基づいた複数のアルゴリズムが、使用されて、一致した「危険物」シグネチャのために、これらの方法の各々の出力を見る。なお、アルゴリズムは、上述のものに限定されない。シンプルな最小二乗アプローチに対し、+/-１から５％の基準に比較した誤差の変動が代表的である（許容できる誤差の大きさは、胴部よりも脚部の方が大きい）。マシンラーニングタイプのアルゴリズムに対して、比較は、「危険物の存在の可能性」になる。一の実施の形態において、例えば、「危険物の存在の可能性」は、比較値が８０％よりも大きければ、危険物の存在として定義される。他の実施の形態において、２進の出力が、「危険物あり」又は「危険物無し」として使用される。危険物が特定されれば、身体検査の結果が、データベースにフィードバックされ、保存されたＥＭＦが更新される。これは、マシンラーニングアルゴリズムを支援するので、より正確になり、検出対誤アラームレートについて、システムオペレータに対する記録を提供する。これが使用されて、検出閾値及び全システム感度を調整する。
【００５６】
これらの技法が、使用される検査装置のタイプに拘わらず使用され、出力が微調整されて、使用される検査装置のタイプと関連づけられることに留意すべきである。
【００５７】
一の実施の形態において、周知の個人の特性「個人Ｘ線画像」及びプロフィールを有するデータベースは、リモートサーバの場所に保存され、全てのセキュリティチェックポイントは、セキュリティチェックポイントを通過する周知の個人のプロフィールにアクセスするために、リアルタイムでリモートサーバの場所にアクセスするように設けられている。他の実施の形態において、高速処理を支援するために、特にインターネットのアクセスがなく、又はデータ速度が遅い地域において、データベースのローカル画像も、セキュリティチェックポイントシステムに保存される。故に、ローカルデータベースは、リモートサーバの場所に配置されたマスターデータベースに保存されている最新のデータと定期的に同期される。
【００５８】
本明細書は、複数の実施の形態を有する。以下の開示は、当業者が本発明を実施可能とするためになされている。本明細書で使用される言語は、特定の実施の形態の一般的な否認として解釈されるべきではなく、使用される用語の意味を超えてクレームを限定するために使用されるべきではない。本明細書で定義される一般原則は、本発明の特許請求の範囲を逸脱することなく、他の実施の形態や適用例に適用される。また、使用される専門用語及び表現は、例示的な実施の形態を記載する目的のためであり、限定と考えるべきではない。このように、本発明は、多数の代替例、変更例、及び開示された特徴及び原理と一致する等価例を含む最も広い権利範囲と一致している。明確性を目的として、本発明に関する技術分野において周知の技術材料に関する詳細は、本発明が不必要に不明確にならないようにするために、詳細には記載しない。
【００５９】
図１は、本明細書の一の実施の形態によるインテリジェントセキュリティ管理システムを示す。図１に示されるように、本明細書のインテリジェントセキュリティ管理システムは、リモートサーバシステム１００を有する。リモートサーバシステム１００は、人事データベース１０１と、人事データベース１０１とデータ通信する処理ユニット１０２とを有する。リモートサーバシステム１００も、１０３ａ、１０３ｂ、．．．１０３ｎなどの複数のセキュリティチェックポイントとデータ通信する。一の実施の形態において、人事データベース１０１は、本明細書にて記載するインテリジェントスクリーニングシステムに登録されている様々な個人（又は独立した空港セキュリティシステムの場合は乗客）のプロフィールを含む。個人は、登録プロセスを介してインテリジェントスクリーニングシステムに登録される。その実施の形態は、図３を参照してより詳細に記載されている。システムに登録された各個人に対し、その個人が幾つかの特定タイプのスクリーニングシステムに晒されたとき、データベース１０１は、セキュリティチェックポイント１０３に配置された類似タイプのスクリーニングシステムの典型的な反応を表す情報の記録を含む。例えば、実施の形態によっては、データベース１０１は、個人が季節や地域の温度に応じて異なる衣服を着ることが予測され、その結果異なる信号や画像になりえるときに、時刻、曜日、時季や季節（夏、冬）の関数として、スクリーニングシステムに晒される個人の典型的な反応を表す情報の記録を含む（この場合、信号や画像が生成されるか否かは、使用されるスクリーニングシステムに依存する）。
【００６０】
一の実施の形態において、セキュリティチェックポイント１０３は、空港の乗り継ぎ地点、ホテル、重要な政府機関などの異なる場所に配置される。これらの場所は、制限されたアクセスと、個人の通過を許可する前に、危険物に対する個人の事前スクリーニングとを要求する。
【００６１】
本明細書のインテリジェントスクリーニングシステムは、当該システムに登録された個人に対しこれらのセキュリティチェックポイントでの潜在的なより高速の安全検査を提供する。一の実施の形態において、登録された個人や乗客には、リモートサーバシステム１００に配置されたデータベース１０１に保存されたこれらの個人や乗客に関連するタグが提供される。タグは、登録された各個人に対応する固有の識別コードを含む。このタグによって、個人は、データベース１０１に保存された，対応する特性ＥＭＦ信号、（超広帯域、ミリ波又はテラヘルツなどの）セキュリティスキャナ画像、又はＸ線画像にリンクされる。様々な実施の形態において、固有の識別コードは、無線認識（ＲＦＩＤ）コード、リニアバーコード、クイックレスポンス（ＱＲ）コード、又はクレジットカードに設けられているものと類似する磁気ストライプやチップを有する。個人が、上記インテリジェントスクリーニングシステムに接続されている適宜のセキュリティチェックポイント１０３に接近するとき、個人は、このタグを使用して、高速の安全検査のために考えられるセキュリティチェックポイントでシステムに警報を出す。一の実施の形態において、セキュリティチェックポイントには、タグリーダが備えられ、システムを通過する個人によって運ばれるタグを読み取る。システムは、このタグから個人を識別し、次に、この個人は、第１レベルのセキュリティシステムで調べられる。このセキュリティシステムの反応は、リモートデータベース１０１内のこの個人のプロフィールの下に保存された情報と比較される。リモートデータベース１０１に保存された情報は、同一の個人に対する同様な種類のセキュリティシステムの代表的なベンチマーク反応を含む。
【００６２】
セキュリティシステムによって生成された新しいデータと、データベースに保存されたベンチマーク反応データとの間に統計的に有意な差異がない場合、この個人は、少なくとも１レベルのスクリーニングを迂回することによって高速の安全検査が可能になる。しかしながら、２つに反応パターンの間の差異が統計的に有意である場合は、個人は第２レベルのスクリーニングの対象になる。一の実施の形態において、第２レベルの調査は、完全ボディチェック検査である。
【００６３】
一の実施の形態において、個人にタグは提供されない。しかしながら、個人のバイオメトリック情報がデータベースに保存され、同じものがセキュリティチェックポイント１０３にてスキャンされて、データベース１０１から個人のプロフィールを特定する。様々な実施の形態において、バイオメトリック情報は、指紋データ、顔認識データ、及び網膜スキャンデータを含むが、これらのデータに限定されない。
【００６４】
一の実施の形態において、本明細書のインテリジェントスクリーニングシステムは、金属検出器ベースのスクリーニング機構によって可能になる。個人のベンチマークスクリーニングパターンは、金属検出器を使用して記録される。この場合、金属検出器の出力は、個人に特有の信号である。この信号は、金属検出器の中に配置された複数の送信・受信コイルの組み合わせの出力から導かれる。一の実施の形態において、この信号は、「個人ＥＭＦ」又は「乗客ＥＭＦ」と称される。他の実施の形態において、本明細書のインテリジェントスクリーニングシステムは、超広帯域、ミリ波、又はテラヘルツ技術を用いたシステムなどのセキュリティスキャンニングシステムによって可能となる。個人のベンチマークスクリーニングパターンは、超広帯域、ミリ波、テラヘルツ技術を使用するシステムなどのセキュリティスキャンニングシステムを使用して記録される。このセキュリティスキャンニングシステムは、個人の３次元を表す画像を生成する。一の実施の形態において、この画像は、「個人画像」又は「乗客画像」と称される。他の実施の形態において、本明細書のインテリジェントスクリーニングシステムは、Ｘ線スキャンニング機構によって可能になる。個人のベンチマークスクリーニングパターンは、後方散乱Ｘ線スキャナを使用して記録される。この後方散乱Ｘ線スキャナは、個人の２次元を表す画像を生成する。一の実施の形態において、この画像は、「個人Ｘ線画像」又は「乗客Ｘ線画像」と称される。
【００６５】
本明細書の実施の形態において、各人の「個人ＥＭＦ」、「個人画像」、「個人Ｘ線画像」は、様々なセキュリティチェックポイント１０３にてアクセスできるデータベース１０１の中にその個人のプロフィールの下に保存される。個人が、これらのセキュリティチェックポイント１０３に配置された金属検出器、セキュリティスキャナ又はＸ線スキャナを通過するとき、これらのスキャナによって収集された新しいＥＭＦ又は画像データは、その個人に対する特性「個人ＥＭＦ」、「個人画像」又は「個人Ｘ線画像」と比較される。２つの信号又は画像の間の差異が統計的に有意な場合、個人は、身体検査などの第２レベルのスクリーニングの対象になる。
【００６６】
一の実施の形態において、本明細書のインテリジェントスクリーニングシステムは、補助スクリーニングプログラムへの登録又は加入がされると、１回に限り、「個人ＥＭＦ」、「個人画像」、又は「個人Ｘ線画像」を記録し、危険物の有無を評価するために、様々なセキュリティチェックポイントで同一のベンチマークＥＭＦ信号又は画像を使用する。他の実施の形態において、本明細書のインテリジェントスクリーニングシステムは、知能と学習能力とを有する。任意の個人に対する金属検出器、セキュリティスキャナ、又はＸ線スキャナの代表的な反応信号は、「個人ＥＭＦ」、「個人画像」又は「個人Ｘ線画像」と称され、それぞれ時間と共に変化する。本明細書のインテリジェントスクリーニングシステムは、これらの変化を補償するように順応する。
【００６７】
一の実施の形態において、インテリジェントスクリーニングシステムは、様々なセキュリティチェックポイントから個人のスクリーニング履歴を記録し、このデータに基づいてベンチマーク「個人ＥＭＦ」、「個人画像」又は「個人Ｘ線画像」を再較正する。様々な実施の形態において、複数のＥＭＦ信号又は画像が所定の期間に亘って記録され、ベンチマーク「個人ＥＭＦ」、「個人画像」、又は「個人Ｘ線画像」が、記録されたＥＭＦ信号又は画像の中の差異に基づいて変更される。様々な実施の形態において、システムは、時刻、曜日、季節の様々な異なるときに測定されたＥＭＦ又は画像データを保存し、これらのデータセットを連続的に併合して、個人の行動パターンに基づいたベンチマーク「個人ＥＭＦ」、「個人画像」、又は「個人Ｘ線画像」を連続的に更新する。次に、システムは、新しいＥＭＦ又は画像を、更新され保存されたＥＭＦ又は画像と比較する。有意な差異が測定された場合、システムは、新しいスキャンデータを使用して、保存されたベンチマークデータを更新する。システムが、有意な相違点を発見する場合、アラームが発せられ、個人は第２レベルのスクリーニングの対象になり、保存されたＥＭＦ又は画像データは、新しいスキャンデータによって更新されない。
【００６８】
他の実施の形態において、本明細書のインテリジェントスクリーニングシステムは、適宜のセキュリティチェックポイント１０３に配置されたスキャナによって生成される反応信号に影響する、様々な内部及び外部要因を考慮する。例えば、反応パターンは、個人の衣類や、スキャナ周辺の外部ノイズ信号に応じて変化する。個人の衣類そのものは、個人がスクリーニングされる時刻に依存する。一の実施の形態において、本明細書のインテリジェントスクリーニングシステムは、任意のセキュリティチェックポイント１０３にて生成された反応信号を、データベース１０１内のその個人のプロフィールの下に保存された「個人ＥＭＦ」、「個人画像」、又は「個人Ｘ線画像」と比較しながら、これらの要因を考慮する。他の実施の形態において、複数の「個人ＥＭＦ」信号、「個人画像」、又は「個人Ｘ線画像」は、上記要因に依存して、各個人用に、インテリジェントスクリーニングシステムによって評価されて、保存される。最適な「乗客ＥＭＦ」若しくは「個人ＥＭＦ」、「乗客画像」若しくは「個人画像」、又は「乗客Ｘ線画像」若しくは「個人Ｘ線画像」が、任意のセキュリティチェックポイント１０３にて生成された反応信号と比較される。様々な実施の形態において、最適なＥＭＦ信号又は画像は、時刻、曜日、季節に基づいている。
【００６９】
一の実施の形態において、本明細書のインテリジェントスクリーニングシステムによって、自発的な個人のみが補助スクリーニングプログラムに加入でき、データベース１０１に登録されて、セキュリティチェックポイント１０３でのより高速な安全検査の資格を得る。他の実施の形態において、システムは、自動的に、全個人のスクリーニング履歴に基づいた「個人ＥＭＦ」信号、「個人画像」、又は「個人Ｘ線画像」を評価して記録し、それを、セキュリティチェックポイントでの流れの効率的な管理のために使用する。
【００７０】
図２は、本明細書の実施の形態において記載されるインテリジェントセキュリティ管理システムに登録される人のプロフィールを有するデータベースを示す。図２に示されるように、データベース２００は、データベースに登録される加入者１、加入者２、...、加入者ｎに相当する複数のプロフィール２０１ａ、２０１ｂ、...、２０１ｎを有する。一の実施の形態において、プロフィール２０１ａ、２０１ｂ、...、２０１ｎの各々は、金属検出器、セキュリティスキャナ、Ｘ線スキャナ、または適宜のスクリーニングシステムに対応するプロフィールの下に登録された人の、「個人ＥＭＦ」、「個人画像」、又は「個人Ｘ線画像」若しくは代表的な反応パターンを表す情報を含む。他の実施の形態において、プロフィール２０１ａ、２０１ｂ、...、２０１ｎの各々は、複数の「個人ＥＭＦ」、「個人画像」、又は「個人Ｘ線画像」データセットを含む。これらのデータセットは、異なる操作又は検査条件下で、本明細書の相当するスキャンニングシステムに対し、同一の個人の反応パターンを表している。
【００７１】
図３は、本明細書の実施の形態に記載されるインテリジェントセキュリティ管理システムに個人又は乗客を登録する一連のステップを示す。図３に示されるように、ステップ３０３にて、個人は、インテリジェントセキュリティ管理システムに加入し、係る補助スクリーニングプログラムに対して可能となる様々なセキュリティチェックポイントでの高速安全検査の資格をえる。様々な実施の形態において、インテリジェントセキュリティ管理システムへの加入は、各人が、氏名、住所、市民権を含む各人の個人プロフィールを、セキュリティシステムの図１に示されるデータベース１０１等のデータベースに提供する工程を含む。この工程で、これらの情報は保存される。実施の形態によっては、個人情報は、個人及びセキュリティシステムの所有者に周知にパスワードによって保護されたパスワードである。一の実施の形態において、使用可能なセキュリティチェックポイントは、図１に記載するリモートサーバシステムにリンクされたこれらのセキュリティチェックポイントであり、カードリーダ又はバイオメトリックスキャナなどの必要な装備が備えられ、プログラムの加入者を識別して、リモートサーバシステムにおける彼らのプロフィールにアクセスする。ステップ３０２にて、個人は、セキュリティシステムのスキャナによって複数回スキャンされ、対象となる個人に対し、セキュリティスクリーニングシステムの代表的な反応信号又は特性スクリーニングシグネチャを生成する。本明細書の実施の形態において、使用されるスキャナは金属検出器であり、スクリーニングシグネチャは、対応する個人が金属検出器ベースのスクリーニングシステムに晒されたときに、金属検出器の受信コイルに生成される代表的な合成電磁場、又は「個人ＥＭＦ」である。他の実施の形態において、使用されるスキャナは、超広帯域、ミリ波、又はテラヘルツ技術を使用するシステムなどのセキュリティスキャンニングシステムであり、スクリーニングシグネチャは、「個人画像」である。さらに他の実施の形態において、使用されるスキャナは、Ｘ線スキャナであり、スクリーニングシグネチャは、「個人Ｘ線画像」である。オプションとして、一の実施の形態において、登録プロセスにおいて、個人は、様々な異なる物品や身につけると共に重ね着をし、セキュリティシステムのスキャナによって複数回スキャンされ、ステップ３０３にて様々な衣類パターンに対し特性スクリーニングシグネチャのモデルを作る。ステップ３０４にて、ステップ３０２、又は３０３にて生成された１つ以上のスクリーニングシグネチャは、システムデータベースに保存される。一の実施の形態において、ステップ３０５にて、固有のタグが、データベースに保存された個人のプロフィールの各々に関連づけられ、このタグは、個人に対して発行される。このタグを有する個人は、このタグを使用してセキュリティチェックポイントにて高速安全検査へのアクセスを得ることができる。オプションとして、ステップ３０６にて、個人のバイオメトリック情報が、個人に付与された固有のタグに関連して、追加的に、又は代わりに、記録される。ステップ３０７にて、タグやバイオメトリック情報に関連する、「個人ＥＭＦ」、「個人画像」、又は「個人Ｘ線画像」を含む、個人プロフィール、スクリーニングシグネチャは、図１に示されるデータベース１０１等のデータベースに保存される。
【００７２】
実施の形態によっては、セキュリティチェックポイントには、バイオメトリックスキャンニングマシンが備えられ、プログラムの加入者を識別し、リモートサーバに置かれた加入者のプロフィールから加入者の「個人ＥＭＦ」、「個人画像」、又は「個人Ｘ線画像」にアクセスする。
【００７３】
図４Ａは、本明細書の実施の形態による参加型又は使用可能セキュリティチェックポイントで、後に続く一連のステップを示す。図４Ａに示されるように、ステップ４０１にて、加入者（空港などの乗り継ぎ地点にあるチェックポイントの場合は乗客）は、使用可能セキュリティチェックポイントに到着し、スクリーニングシステムに入る前に、タグリーダをタップするか、又はバイオメトリックスキャンニング（例えば、指紋又は網膜スキャンニング）を受ける。使用可能又は参加型セキュリティチェックポイントは、本明細書に記載されるインテリジェントスクリーニングシステムと一体化したセキュリティチェックポイントであり、本システムの加入者を特定し、これらの加入者に高速安全検査を行うように設けられている。
【００７４】
一の実施の形態において、タグリーダのタッピングは、加入者が、セキュリティチェックポイントに配置されたタグリーダの前で、この加入者に対して発行されたタグを掲げて、システムが図１に記載するリモートデータベースシステム１０１等のデータベースシステムから当該加入者のプロフィールを特定することを意味する。オプションとして、加入者は、バイオメトリックスキャンニングによって特定され得る。ステップ４０３にて、加入者が本明細書のインテリジェントスクリーニングシステムに加入又は登録されているものとして特定されるか否かが判別される。システムが、タグの情報に基づいて、又はスキャンされたバイオメトリック認証に基づいて、データベースの中に一致するプロフィールを見つけた場合、個人は、（システムに登録された）加入者であるとして判別される。ステップ４０５にて、加入者がスクリーニングシステムに登録されているものとして識別される場合、システムは、中央データベースから加入者のスクリーニングシグネチャ（「個人ＥＭＦ」、「個人画像」、又は「個人Ｘ線画像」）を引き出す。本明細書の実施の形態において、対象となる加入者が特定タイプのスクリーニングシステム（超広帯域、ミリ波、又はテラヘルツ技術を使用したシステムなどのセキュリティスキャンニングシステム、金属検出器、又はＸ線スキャナ）に晒されるとき、加入者のスクリーニングシグネチャは、前記特定タイプのセキュリティスクリーニングシステムによって生成される代表的なベンチマーク反応パターン又は信号である。
【００７５】
ステップ４０７にて、加入者はスクリーニングシステムの中を歩き、少なくとも１つの検査装置によって検査され、加入者に対応するリアルタイム検査データを生成する。ステップ４０９にて、ステップ４０７にてスクリーニングシステムによって生成されたリアルタイム検査データは、ステップ４０５にて引き出されたスクリーニングシグネチャと比較される。ステップ４１１にて、検査データが、加入者に対応する引き出されたシグネチャと類似するか否かが判別される。比較は、上述のマシン学習法又は最小二乗解析によって行われる。検査データが、引き出されたシグネチャと類似する場合、加入者は、ステップ４１３での高速安全検査の対象となる。一の実施の形態において、高速安全検査は、少なくとも１つの階層のセキュリティスクリーニングが、上述の如く、確実に疑いの無い加入者用にバイパスされることを意味する。検査データが、引き出されたシグネチャと類似しない場合、加入者は、ステップ４１５での第２レベルのスクリーニングの対象となる。上述のプロシージャに続いて、セキュリティチェックポイントに入る加入者に迅速化された安全検査を提供する。同時に、ステップ４０３にて判別されるように、本明細書のインテリジェントスクリーニングシステムに加入していない者は、直接ステップ４１５での第２レベルのスクリーニングに送られる。ステップ４１５での第２レベルのスクリーニングは、通常、さらに時間を要する。
【００７６】
一の実施の形態において、インテリジェントスクリーニングシステムの参加型又は使用可能セキュリティチェックポイントは、金属検出器を使う。係る場合において、ステップ４０５にて、加入者を特定した後、システムは、中央データベースから対象加入者のスクリーニングシグネチャを引き出す。この場合、スクリーニングシグネチャは、同じ加入者がセキュリティチェックポイントで使用された金属検出器と類似する金属検出器に晒されたときに生じる電磁場、又は代表的な「個人ＥＭＦ」を有する。また、上記実施の形態において、ステップ４０７にて、加入者は金属検出器の中を歩き、ステップ４０９にて、金属検出器によって捉えられたリアルタイムＥＭＦ信号は、加入者の「個人ＥＭＦ」と比較される。ステップ４１１にて、システムは、リアルタイムＥＭＦ信号が、加入者のために事前に保存されたベンチマーク「個人ＥＭＦ」信号と類似するか否かをチェックする。結果が類似する場合、加入者は高速安全検査の対象となり、リアルタイムＥＭＦ信号が事前に保存されたベンチマーク「個人ＥＭＦ」に類似しない場合、人は、詳細な身体検査の対象となる。
【００７７】
他の実施の形態において、インテリジェントスクリーニングシステムの参加型又は使用可能セキュリティチェックポイントは、超広帯域、ミリ波、又はテラヘルツ技術を使用するシステムなどのセキュリティスキャンニングシステムを使用する。係る場合、ステップ４０５にて、加入者を特定した後、システムは、中央データベースから対象の加入者のスクリーニングシグネチャを引き出す。この場合、スクリーニングシグネチャは、同一の加入者がセキュリティチェックポイントで使用されるセキュリティスキャナに晒されるときに生成された代表的な「個人画像」を有する。また、上記実施の形態において、ステップ４０７にて、加入者はセキュリティスキャナの中を通行し、ステップ４０９にて、セキュリティスキャナによって捉えられたリアルタイム画像データは、加入者の「個人画像」と比較される。ステップ４１１にて、システムは、リアルタイム画像が、加入者用に事前に保存されたベンチマーク「個人画像」に類似するか否かをチェックする。結果が類似する場合、加入者は、高速安全検査の対象となり、リアルタイム画像が事前に保存されたベンチマーク「個人画像」と類似しない場合、この人は、詳細な身体検査の対象となる。
【００７８】
他の実施の形態において、インテリジェントスクリーニングシステムの参加型又は使用可能セキュリティチェックポイントは、Ｘ線スキャナを使用する。係る場合、ステップ４０５にて、加入者を特定した後、システムは、中央データベースから対象となる加入者のスクリーニングシグネチャを引き出す。この場合、スクリーニングシグネチャは、同一の加入者がセキュリティチェックポイントで使用されるＸ線スキャナと類似するＸ線スキャナに晒されたときに生成される、典型的な「個人Ｘ線画像」を含む。また、上記実施の形態において、ステップ４０７にて、加入者はＸ線スキャナの中を歩いて通過し、ステップ４０９にて、Ｘ線スキャナによって取り込まれたリアルタイム画像データは、加入者の「個人Ｘ線画像」と比較される。ステップ４１１にて、システムは、リアルタイム画像は、加入者用に事前に保存されたベンチマーク「個人Ｘ線画像」と類似するか否かをチェックする。結果が類似する場合、加入者は高速安全検査の対象になり、リアルタイム画像が事前に保存されたベンチマーク「個人Ｘ線画像」と類似しない場合、その人は、詳細な身体検査の対象になる。
【００７９】
図４Ｂは、本明細書の実施の形態により、スキャンデータを個人の所定特性スクリーニングシグネチャと比較する工程に含まれるステップを示すフローチャートである。図４Ｂを参照すると、スキャンデータ（ＥＭＦ信号）及び所定特性スクリーニングシグネチャ（「個人ＥＭＦ」）は、金属検出器によって得られる信号を含む。スキャンデータは、瞬時に生成され、所定特性スクリーニングシグネチャは、個人の登録プロセスから保存される。この所定特性スクリーニングシグネチャは、複数回のスキャンからの差異に基づき時系列的に変化する。ステップ４２０にて、「個人ＥＭＦ」とマッチングするとして未だに考えられているスキャンＥＭＦ信号レンジが定義される。実施の形態によっては、マッチングスキャンＥＭＦ信号レンジは、保存された「個人ＥＭＦ」よりも最大１０％まで異なり、より好ましくは、保存された「個人ＥＭＦ」よりも最大５％まで異なる。ステップ４２１では、時刻が評価されて、スキャンＥＭＦ信号の差異を説明し、それに応じて許容可能なマッチングレンジが調整される。ステップ４２２では、曜日が評価されて、スキャンＥＭＦ信号の差異を説明し、それに応じて、許容可能なマッチングレンジが調整される。ステップ４２３では、季節が評価されて、スキャンＥＭＦ信号の差異を説明し、それに応じて、許容可能なマッチングレンジが調整される。ステップ４２１、４２２、４２３が実行されて、時刻、曜日、季節の結果として、体重や衣類などの個人の身体の差異を説明する。例えば、人は、時刻、曜日、季節が異なると、体重が増し、重ね着する衣類の数が増えることがある。スキャンＥＭＦ信号は、ステップ４２４で「個人ＥＭＦ」信号のマッチングレンジと比較される。ステップ４２５にて、スキャンＥＭＦがマッチングレンジ内にあれば、個人は、セキュリティシステムを通過することが許可され、スキャンＥＭＦがマッチングレンジを外れる場合は、個人は第２レベルのスクリーニングの対象になる。スキャン信号は、他のスキャン信号との集約のためにステップ４２６にてデータベースに保存されて、ベンチマーク「個人ＥＭＦ」の変更に備える。
【００８０】
図４Ｃは、本明細書の他の実施の形態により、スキャンデータを個人の所定特性スクリーニングシグネチャと比較する工程に含まれるステップを示すフローチャートである。図４Ｃを参照すると、スキャンデータ（スキャン画像）と所定特性スクリーニングシグネチャ（「個人画像」）とは、超広帯域、ミリ波、又はテラヘルツ技術を使用するものなどのセキュリティスキャナによって得られる画像を有する。スキャンデータは、瞬間的に生成され、所定特性スクリーニングシグネチャは、個人の登録プロセスから保存される。スクリーニングシグネチャは、多数のスキャンからの差異に基づき時系列で変化する。ステップ４３０にて、「個人画像」にマッチングするとして未だに考えられているスキャン画像レンジが定義される。実施の形態によっては、マッチングスキャン画像レンジは、保存「個人画像」よりも最大１０％まで異なり、より好ましくは、保存「個人画像」よりも最大５％まで異なる。ステップ４３１にて、時刻が評価されて、スキャンされたミリ波画像の差異を説明し、それに応じて、許容可能なマッチングレンジが調整される。ステップ４３２にて、曜日が評価されて、スキャンされたミリ波画像の差異を説明し、それに応じて、許容可能なマッチングレンジが調整される。ステップ４３３にて、季節が評価されて、スキャンされたミリ波画像の差異を説明し、それに応じて、許容可能なマッチングレンジが調整される。ステップ４３１、４３２、４３３が実行されて、時刻、曜日又は季節の結果として、体重や衣類などの個人の身体の差異を説明する。例えば、人は、時刻、曜日又は季節の違いによって体重が増えたり、重ね着する衣類を増やすことがある。スキャンされたミリ波画像は、ステップ４３４にて「個人画像」のマッチングレンジと比較される。ステップ４３５にて、スキャン画像がマッチングレンジ内にある場合、個人は、セキュリティシステムの中を通過することが許され、一方、スキャン画像がマッチングレンジより外れた場合、個人は第２レベルのスクリーニングの対象になる。スキャン画像は、他のスキャン画像と一緒に集めるためにステップ４３６にてデータベースに保存され、ベンチマーク「個人画像」の改良に備える。
【００８１】
図４Ｄは、本発明の他の実施の形態により、スキャンデータを個人の所定特性スクリーニングシグネチャと比較する工程に含まれるステップを示すフローチャートである。図４Ｄを参照すると、スキャンデータ（スキャンＸ線画像）と所定特性スクリーニングシグネチャ（「個人Ｘ線画像」）とは、Ｘ線スキャナによって得られた画像を有する。スキャンデータは瞬間的に生成され、所定特性スクリーニングシグネチャは、個人の登録プロセスから保存され、これは、多数のスキャンからの差異に基づいて時系列に変更されうる。ステップ４４０にて、「個人Ｘ線画像」にマッチングするとして未だに考えられているスキャンＸ線画像レンジが定義される。実施の形態によっては、マッチングスキャンＸ線画像レンジは、保存された「個人Ｘ線画像」よりも最大１０％まで異なり、より好ましくは、保存された「個人Ｘ線画像」よりも最大５％まで異なる。ステップ４４１にて、時刻が評価されて、スキャンＸ線画像の差異を説明し、それに応じて許容可能マッチングレンジが調整される。ステップ４４２にて、曜日が評価されて、スキャンＸ線画像の差異を説明し、それに応じて許容可能なマッチングレンジが調整される。ステップ４４３にて、季節が評価されて、スキャンＸ線画像の差異を説明し、それに応じて、許容可能なマッチングレンジが調整される。ステップ４４１、４４２、４４３が実行されて、時刻、曜日、又は季節の結果として、体重や衣類などの個人の身体の違いを説明する。例えば、人は、時刻、曜日、季節が異なると、体重が増えたり、重ね着する衣類の数が増えることがある。スキャンＸ線画像は、ステップ４４４にて「個人Ｘ線画像」のマッチングレンジと比較される。ステップ４４５にて、個人は、スキャンＸ線画像がマッチングレンジ内にあれば、セキュリティシステムの中の通過が許可され、スキャン画像がマッチングレンジを外れると、当該個人は、第２レベルのスクリーニングの対象になる。スキャンＸ線画像は、他のスキャン画像と一緒にするためにステップ４４６にてデータベースに保存され、ベンチマーク「個人Ｘ線画像」の変更に備える。
【００８２】
図５は、本明細書の実施の形態による金属検出器、（超広帯域、ミリ波、又はテラヘルツ技術を用いたシステムなどの）セキュリティスキャンニングシステム、Ｘ線スキャナを用いるセキュリティチェックポイントの中を通過する乗客の動きを示す。図５に示されるように、やってくる乗客５０１は、スキャナ５０２の前で列に並ばされる。一の実施の形態において、タグリーダ５０３もスキャナ５０２に近接して配置される。スキャナ５０２は、コントローラ５０４とデータ通信を行う。本実施の形態では、コントローラ５０４は、セキュリティチェックポイントに配置されている。他の実施の形態では、コントローラ５０４は、離れた場所に配置される。一の実施の形態において、コントローラ５０４は、データベース５０５とデータ通信を行う。データベース５０５は、一の実施の形態では、リモートサーバの場所に配置されている。他の実施の形態において、データベース５０５は、セキュリティチェックポイントに部分的に配置される。データベース５０５は、本明細書の一の実施の形態によるインテリジェントスクリーニングシステムに申し込んだ様々な個人用の、スクリーニングシグネチャ又はベンチマーク「個人ＥＭＦ」、「個人画像」、又は「個人Ｘ線画像」を有する。個人に対応する「個人ＥＭＦ」、「個人画像」、又は「個人Ｘ線画像」は、個人が対応するスキャナに晒されたときの、金属検出器、セキュリティスキャナ、又はＸ線スキャナの反応特性を表す。
【００８３】
一の実施の形態において、インテリジェントスクリーニングシステムに申し込み且つやってくる乗客５０１は、タグリーダ５０３の前に乗客に割り当てられた固有のタグをかざすことによって、高速安全検査のオプションをえる。インテリジェントスクリーニングシステムに申し込んでいる乗客５０１がスキャナ５０２の中を通過するとき、スキャナによって捉えられた新しい反応データが評価され、次に、この反応データが、当該乗客に相当する、ベンチマーク「個人ＥＭＦ」、「個人画像」又は「個人Ｘ線画像」に比較され、データベース５０５に保存される。この乗客に対応する「個人ＥＭＦ」、「個人画像」又は「個人Ｘ線画像」は、乗客がタグリーダ５０３の前で固有のタグをかざすときに、タグリーダによって捉えられた情報を使用して、データベースから引き出される。他の実施の形態において、バイオメトリックスキャナ５２３が、タグリーダ５０３に加えて、又はタグリーダ５０３の代わりに、個人をスキャンして、個人を特定し、保存された個人ベンチマーク情報にアクセスする。一の実施の形態において、スキャナ５０２の中を通過した後、乗客５０１は、領域５０６に到着する。領域５０６からは２つの出口があり、２つの自動ゲート５０７、５０９によって規制されている。一の実施の形態において、乗客５０１に対し金属検出器によって捉えられた新しい反応データが、その乗客の「個人ＥＭＦ」、「個人画像」又は「個人Ｘ線画像」に類似する場合、対象の乗客に、このレベルでの安全検査が提供され、ゲート５０７が自動的に開いて、乗客５０１は、オープンエリア５０８への移動が許可される。米国特許第８、７６６、７６４号及び米国特許出願第１４／２８０、７７４号は、いずれも本明細書の出願人に譲渡され、本明細書に全体が参照として取り込まれ、自動対物スクリーニングシステムを開示する。このスクリーニングシステムは、複数のゲートと、保持領域とを有する。これらのゲート及び保持領域は、本明細書に開示されたインテリジェントスクリーニングシステム及び方法において使用される。米国特許第７、６６０、３８８号及び第７、４１８、０７７号も、共に本明細書の出願人に譲渡され、その全体が本明細書に参照として取り込まれ、本明細書に開示されるインテリジェントスクリーニングシステム及び方法と共に使用される乗客スクリーニングステーションを開示する。
【００８４】
一の実施の形態において、乗客５０１に対し金属検出器によって捉えられた新しい反応データが、その乗客に対応する「個人ＥＭＦ」、「個人画像」又は「個人Ｘ線画像」に類似しない場合、対象となる乗客は、身体検査などの第２レベルのスクリーニングの対象となり、ゲート５０９が開いて、その人に領域５１０への移動を促す。一の実施の形態において、第２レベルのスクリーニングは、領域５１０にいる乗客５０１に対して行われる。乗客は、第２レベルのスクリーニングにおいて疑いが晴れた場合は、ゲート５１３が開いて、乗客５０１にオープンエリア５０８への移動を許可する。乗客への疑いが第２レベルのスクリーニングにおいて晴れない場合、ゲート５１１が開いて、乗客５０１にさらなる検査のための制限領域５１２への移動が許容される。
【００８５】
一の実施の形態において、補助スクリーニングプログラムに申し込んでいない乗客に対しては、ゲート５０７を通過する高速安全検査のためのオプションは無い。金属検出器を通過した後、全ての乗客は、より時間を要する第２レベルのスクリーニングのためにゲート５０９を通過して領域５１０へと強制的に移動しなければならない。
【００８６】
上記例は、本明細書のシステムの多数の応用例の例示に過ぎない。本発明の幾つかの実施の形態を記載したが、本発明は、本発明の特許請求の範囲を逸脱すること無く多数の他の特定の形態において実施可能であることを理解すべきである。故に、現在の例及び実施の形態は、例示であって限定的ではない。また、本発明は、特許請求の範囲に記載の範囲内で変更される。
【００８７】
明細書及び特許請求の範囲において、「有する」、「含む」及び「備える」の各用語は、関係する用語のリストにおいて部材を必ずしも限定するものではない。
【符号の説明】
【００８８】
１０１、２００、５０５  データベース
１０３  セキュリティチェックポイント
５０２  検査装置
【図１】
2017537399.tif 000003
【図２】
2017537399.tif 000004
【図３】
2017537399.tif 000005
【図４Ａ】
2017537399.tif 000006
【図４Ｂ】
2017537399.tif 000007
【図４Ｃ】
2017537399.tif 000008
【図４Ｄ】
2017537399.tif 000009
【図５】
2017537399.tif 000010
【国際調査報告】
2017537399.tif 000011